(57)【特許請求の範囲】
【請求項１】
本体部に吸込口から吹出口に至る空気通路を形成し、本体部の吸込口側にフィルタユニットを着脱可能に取り付けたヘアドライヤにおいて、
前記本体部のフィルタユニット取付部に、その表面からフィルタユニットの装着方向と交差する方向に弾性的に突没可能に突出する突起を別部材で設け、フィルタユニットの本体取付部に、当該突起を受容する受容部を設け、前記突起は前記フィルタユニット取付部に取り付けるための取付具と受容部に受容される突起部とから構成し、
前記取付具は帯板状に形成され、長手方向中央部が略Ｃ字状に屈曲され弾性変形可能な帯状部を備えるとともに、長手方向両端部にはそれぞれフック部が設けられて略Ω字状に形成され、
前記突起部は、前記帯状部の長手方向略中央部に帯状部の屈曲外方に向けて突出して設けられ、
前記フィルタユニット取付部は、外筒部と内筒部とからなる二重の筒状に構成され、
前記取付具は外筒部と内筒部との間に帯状部が弾性変形可能に取り付けられ、
前記外筒部には前記突起部の先端側を前記外筒部の表面より外方に突出させるスリット状の貫通孔が形成され、
前記突起の材料を前記フィルタユニット取付部の材料より摺動性の高い材料で構成したことを特徴とするヘアドライヤ。
【請求項２】
前記突起の、前記装着方向の手前側および奥側に、それぞれ傾斜面を形成し、
前記二つの傾斜面のうち、前記フィルタユニットを装着する際に前記受容部に近接する側の傾斜面を、その反対側の傾斜面よりも、前記装着方向に対してより緩やかに傾斜させたことを特徴とする請求項１に記載のヘアドライヤ。
【請求項３】
前記突起を結晶性プラスチック樹脂材料で構成したことを特徴とする請求項１または２記載のヘアドライヤ。
【請求項４】
前記外筒部と前記内筒部との間であって、前記貫通孔の周方向両側には一対のリブが設けられ、前記リブには前記取付具を前記フィルトユニット取付部に取り付けるために前記フック部を受容する第２の貫通孔を形成したことを特徴とする請求項１に記載のヘアドライヤ。
【発明の詳細な説明】
【技術分野】
【０００１】
本発明は、ヘアドライヤに関する。
【背景技術】
【０００２】
従来、本体部に吸込口から吹出口に至る空気通路を形成し、本体部の吸込口側にフィルタユニットを着脱可能に取り付けたヘアドライヤが知られている（例えば特許文献１）。
【０００３】
この種のヘアドライヤでは、本体部およびフィルタユニットのうちいずれか一方に突起を設け、他方にその突起を受容する凹部を設けて、突起と凹部とを凹凸嵌合させることによって、フィルタユニットを本体部に取り付けるようになっている。
【特許文献１】特開平６−４６９１９号公報
【発明の開示】
【発明が解決しようとする課題】
【０００４】
しかし、上記凹凸嵌合させる構成では、突起を、本体部およびフィルタユニットのうちいずれか一方（突起を設けた方）の一般部分と一体に設けてあり、かかる構成では、一般部分として適した材料が、フィルタユニットを本体部に着脱するたびに反復的に応力が生じる突起の材料としては必ずしも最適とは言えず、長年の繰り返し使用によって突起が経時劣化し、突起と凹部との係合による本体部とフィルタユニットとの結合力が徐々に低下する場合があった。
【０００５】
そこで、本発明は、フィルタユニットを本体部に着脱可能に取り付けるのに用いる係合構造の耐久性をより向上させることが可能なヘアドライヤを得ることを目的とする。
【課題を解決するための手段】
【０００６】
請求項１の発明にあっては、本体部に吸込口から吹出口に至る空気通路を形成し、本体部の吸込口側にフィルタユニットを着脱可能に取り付けたヘアドライヤにおいて、上記本体部のフィルタユニット取付部に、その表面からフィルタユニットの装着方向と交差する方向に弾性的に突没可能に突出する突起を別部材で設け、フィルタユニットの本体取付部に、当該突起を受容する受容部を設け、上記突起は上記フィルタユニット取付部に取り付けるための取付具と受容部に受容される突起部とから構成し、上記取付具は帯板状に形成され、長手方向中央部が略Ｃ字状に屈曲され弾性変形可能な帯状部を備えるとともに、長手方向両端部にはそれぞれフック部が設けられて略Ω字状に形成され、上記突起部は、上記帯状部の長手方向略中央部に帯状部の屈曲外方に向けて突出して設けられ、上記フィルタユニット取付部は、外筒部と内筒部とからなる二重の筒状に構成され、上記取付具は外筒部と内筒部との間に帯状部が弾性変形可能に取り付けられ、上記外筒部には上記突起部の先端側を上記外筒部の表面より外方に突出させるスリット状の貫通孔が形成され、上記突起の材料を上記フィルタユニット取付部の材料より摺動性の高い材料で構成したことを特徴とする。
【０００７】
請求項２の発明にあっては、上記突起の、上記装着方向の手前側および奥側に、それぞれ傾斜面を形成し、上記二つの傾斜面のうち、上記フィルタユニットを装着する際に上記受容部に近接する側の傾斜面を、その反対側の傾斜面よりも、上記装着方向に対してより緩やかに傾斜させたことを特徴とする。
【０００９】
請求項３の発明にあっては、上記突起を結晶性プラスチック樹脂材料で構成したことを特徴とする。
【００１０】
請求項４の発明にあっては、上記外筒部と上記内筒部との間であって、上記貫通孔の周方向両側には一対のリブが設けられ、上記リブには上記取付具を前記フィルタユニット取付部に取り付けるために上記フック部を受容する第２の貫通孔を形成したことを特徴とする。
【発明の効果】
【００１１】
請求項１の発明によれば、突起としてより適した材料を選定することが可能となるため
、突起を上記フィルタユニット取付部に適した材料で一体成形する場合に比べて係合構造
の耐久性をより向上させることができる。また、上記突起部が上記帯状部の長手方向略中
央部に帯状部の屈曲外方に向けて突出して設けられているため、これらを別部品として構
成した場合に比べて部品点数を減らして組み付け作業性を向上することができる。さらに
、突起部の材料をフィルタユニット取付部の材料より摺動性の高い材料で構成したことで、係合構造の耐久性をより向上させることができる。
【００１２】
請求項２の発明によれば、フィルタユニットを装着する際に要する力を比較的小さくし、フィルタユニットを取り外す際に要する力を比較的大きくすることができる。
【００１４】
請求項３の発明によれば、突起を摺動性の比較的高い結晶性プラスチック樹脂材料とすることで、係合構造の耐久性をより向上させることができる。
【００１５】
請求項４の発明によれば、請求項１の効果に加え、上記帯状部が弾性変形可能であるとともにフック部を確実に保持することが出来る。
【発明を実施するための最良の形態】
【００１６】
以下、本発明の実施形態について図面を参照しながら詳細に説明する。なお、以下の複数の実施形態には、同様の構成要素が含まれている。よって、以下では、それら同様の構成要素については共通の符号を付与するとともに、重複する説明を省略する。
【００１７】
（第１実施形態）図１は、本実施形態にかかるヘアドライヤの内部構成を示す側面図（一部断面図）、図２は、本体部にフィルタユニットを取り付ける部分の分解斜視図、図３は、フィルタユニットを取り付けた部分の空気通路の中心線に沿う断面での断面図、図４は、フィルタユニットを取り付けた部分の空気通路の中心線と垂直な断面での断面図である。
【００１８】
図１に示すように、本実施形態にかかるヘアドライヤ１は、本体部２とハンドル部３とが略Ｔ字状に結合された形状を有している。なお、ハンドル部３は、回動部Ｒを屈曲の基点として折り畳み可能となっている。図１は、ハンドル部３を伸展させた状態を示している。
【００１９】
本体部２のケーシング２ａは、断面略アーチ状の左右勝手違いの分割体同士を突き合わせて略筒状に形成されている。このケーシング２ａの筒内には、吸込口４ａから吹出口４ｂに至る空気通路４が形成される。空気通路４には、電動モータや軸流ファンを含む送風部５が設けられており、電動モータによって軸流ファンを回転させることで、空気通路４内に吸込口４ａから吹出口４ｂに至る空気流が生成される。また、空気通路４の下流側にはヒータ６を設け、加熱された温風を吹出口４ｂから吹き出せるようにしてある。そして、本体部２内には、イオン発生部７を設け、排出口７ａからイオン（ミスト）を排出できるようにしてある。
【００２０】
ハンドル部３のハンドルケーシング３ａは、断面略アーチ状の左右勝手違いの分割体同士を突き合わせて形成されている。このハンドルケーシング３ａ内には、リード線９ｂが配索されている。また、ハンドル部３の長手方向中間部には、操作スイッチ８が設けられている。電源コード９は、本実施形態では二本のリード線９ａを隣接して並べた扁平な形状となっている。電源コード９は、ハンドル部３の先端部のハンドルケーシング３ａに形成した貫通孔３ｂから外部に引き出され、その引き出される部分をブッシング１０で被覆してある。
【００２１】
イオン発生部７は、針状に形成される放電極７ｂと、その周囲を間隔をあけて取り囲むように配置される環状のグラウンド電極７ｃと、を備えており、放電極７ｂとグラウンド電極７ｃとの間に高電圧を印加させる。また、イオン発生部７は、ペルチェ素子等からなる冷却部を備えており、この冷却部によって空気中の水分を放電極７ｂに結露させ、この結露した水分を高電圧の印加に伴う放電によってレイリー分裂させて、マイナスに帯電した水の帯電微粒子（イオン）を生成する。こうして生成されたイオンを、空気通路４内の空気流を一部分岐した空気分流等を利用して放出する。
【００２２】
空気通路４の吸込口４ａは、二つのフィルタ１３，１４で覆われている。このうち下流側のフィルタ１３は、本体部２に固定される本体側枠体１１に直接取り付けられ、上流側のフィルタ１４は、本体側枠体１１にフィルタ側枠体１２を介して取り付けられる。本実施形態では、本体側枠体１１がフィルタユニット取付部に相当し、上流側のフィルタ１４およびフィルタ側枠体１２がフィルタユニットに相当し、フィルタ側枠体１２がフィルタユニットの本体取付部に相当する。
【００２３】
上流側のフィルタ１４は、略平面状のメッシュとして形成されたフィルタ部１４ａと、そのフィルタ部１４ａの周縁に形成された比較的高さの低い筒状部１４ｂとを備えている。筒状部１４ｂのフィルタ部１４ａの反対側には複数のフック部１４ｃが形成されており、このフック部１４ｃおよび筒状部１４ｂをフィルタ側枠体１２に形成された環状の凹溝部１２ａに嵌入することで、フィルタ１４をフィルタ側枠体１２に取り付けるようになっている。
【００２４】
フィルタ側枠体１２は、略円筒状に形成されており、その内周面１２ｂには周方向に沿って細長い凹部１２ｃが形成されている。また、外周面１２ｄには、引き抜く際に手指等を引っ掛ける引掛部１２ｅが凹凸形状として形成されている。
【００２５】
下流側のフィルタ１３は、略半球状のメッシュとして形成されたフィルタ部１３ａと、そのフィルタ部１３ａの周縁に形成された比較的高さの低い筒状部１３ｂとを備えている。筒状部１３ｂにおいてフィルタ部１３ａの反対側には複数のフック部１３ｃが形成されている。そして、これら複数のフック部１３ｃを本体側枠体１１の外周に形成された複数の凹部１１ｄに嵌入し、かつ筒状部１３ｂを本体側枠体１１に形成された環状の凹溝部１１ｃに挿入することで、フィルタ１３を本体側枠体１１に着脱可能に取り付けるようになっている。
【００２６】
本体側枠体１１は、外筒部１１ａと内筒部１１ｂとが上流側で結合された二重の筒状となっており、それら外筒部１１ａおよび内筒部１１ｂが結合される上流側の端部に、環状の凹溝部１１ｃが形成されている。外筒部１１ａには、周方向に沿って細長いスリット状の貫通孔１１ｅが形成されている。そして、図４に示すように、外筒部１１ａと内筒部１１ｂとの間には、相互に間隔をあけて略平行に配置された一対のリブ１１ｆ，１１ｆが、空気通路４の中心線について相互に対称となる位置に二対配置されている。
【００２７】
そして、本実施形態では、本体側枠体１１に、フィルタ側枠体１２を着脱可能に取り付けるための取付具１５が装着される。取付具１５は、略Ω字状に屈曲された帯板状に形成されている。また、その長手方向両端部にはそれぞれフック部１５ｂが形成されており、これら二つのフック部１５ｂ間で略Ｃ字状に屈曲される帯状部１５ａの長手方向略中央部には、屈曲外方に向けて突出する突起部１５ｃが設けられている。帯状部１５ａは突起部１５ｃの押圧に伴って弾性変形する。すなわち、本実施形態では、この帯状部１５ａが弾性変形部に相当する。
【００２８】
また、かかる構成の取付具１５を本体側枠体１１に取り付けるため、各リブ１１ｆには、フック部１５ｂを受容する受容部として細長い貫通孔１１ｇが形成されている。
【００２９】
上記構成において、取付具１５は、図３，図４等に示すように、帯状部１５ａの長手方向を本体側枠体１１の周方向に沿わせるとともに、当該帯状部１５ａを外筒部１１ａの内周に沿わせた姿勢で、フック部１５ｂを貫通孔１１ｇに挿通し、突起部１５ｃを貫通孔１１ｅに挿通し、当該貫通孔１１ｅに挿通された突起部１５ｃの先端側が外筒部１１ａの表面１１ｓより外方に突出した状態で、取り付けられる。
【００３０】
そして、図３および図４に示すように、本体側枠体１１にフィルタ側枠体１２を装着した状態では、外筒部１１ａの表面１１ｓから突出した突起部１５ｃが、フィルタ側枠体１２の内周面１２ｂに形成された凹部１２ｃに挿入される。本実施形態では、これら突起部１５ｃと凹部１２ｃとの係合によって、本体側枠体１１とフィルタ側枠体１２とが相互に係止される。すなわち、本実施形態では、突起部１５ｃが本発明の突起に相当し、凹部１２ｃが当該突起を受容する受容部に相当する。
【００３１】
取付具１５は、突起部１５ｃを内径方向に押圧することで撓み（弾性変形し）、表面１１ｓ（に形成した貫通孔１１ｅ）から空気通路４の中心線と交差する方向（本実施形態では直交する方向）に弾性的に突没可能に構成されている。したがって、フィルタ側枠体１２を本体側枠体１１に装着する際には、突起部１５ｃは、フィルタ側枠体１２の凹部１２ｃよりも装着方向先方側（図３では左側）となる部分によって、径内方向に押されることで貫通孔１１ｅ内に没入し、凹部１２ｃが貫通孔１１ｅと重なり合う位置まで当該装着方向に押し込まれたときに、貫通孔１１ｅから径外方向に突出して凹部１２ｃ内に挿入される。
【００３２】
一方、図３および図４に示す状態からフィルタ側枠体１２を取り外すに際しては、フィルタ側枠体１２の外周面１２ｄに形成された引掛部１２ｅを手指を掛けるなどして当該フィルタ側枠体１２を本体側枠体１１から引き抜くことになる。この際、突起部１５ｃは、フィルタ側枠体１２の凹部１２ｃよりも装着方向先方側（図３では左側）となる部分によって径内方向に押されることで貫通孔１１ｅ内に没入し、フィルタ側枠体１２が引き抜かれて押圧が解除されたときに、貫通孔１１ｅから径外方向に突出する。
【００３３】
すなわち、本実施形態では、本体側枠体１１に取付具１５を装着し、本体側枠体１１の外筒部１１ａの表面１１ｓから突起部１５ｃを突没可能に突出させることで、フィルタ側枠体１２を本体側枠体１１に抜き差して着脱できるようにしてある。なお、リブ１１ｆ，１１ｆの間隔や、貫通孔１１ｇの形成位置、取付具１５の形状等の各部のスペックが、帯状部１５ａの弾性変形や突起部１５ｃと凹部１２ｃとの係合等を考慮して適宜に設定されていることが理解できよう。
【００３４】
さらに、本実施形態では、本体側枠体１１（の一般部分、本実施形態では全体）と、取付具１５とを異なる材料で構成し、特に、取付具１５を、本体側枠体１１（の一般部分）の材料より摺動性の高い材料で構成してある。具体的には、例えば、本体側枠体１１を、アクリロニトリルブタジエンスチレン（ＡＢＳ），ポリカーボネート（ＰＣ）等の非結晶性プラスチック材料とし、取付具１５を、ポリアミド（ＰＡ），ポリアセタール（ＰＯＭ），ポリエチレンテレフタレート（ＰＥＴ），ポリフェニレンサルファイド（ＰＰＳ）等の結晶性プラスチック材料とする。上記本体側枠体１１の材料は、耐熱性、難燃性、美観という点で好適であり、上記取付具１５の材料は、摺動性、剛性という点で好適である。
【００３５】
以上説明したように、本実施形態では、フィルタユニット取付部としての本体側枠体１１に、その表面１１ｓからフィルタユニットをなすフィルタ側枠体１２の装着方向と交差する方向に弾性的に突没可能に突出する突起部１５ｃを設ける一方、フィルタ側枠体１２には当該突起部１５ｃを受容する凹部１２ｃを設け、それら突起部１５ｃと凹部１２ｃとの係合によってフィルタユニット（フィルタ側枠体１２およびこれに一体化された上流側のフィルタ１４）を本体部２に係止し、突起部１５ｃの材料と本体側枠体１１の材料とを相異ならせた。このため、突起部１５ｃとしてより適した材料を選定することが可能となって、突起部１５ｃを本体側枠体１１に適した材料で一体成形する場合に比べて、係合構造の耐久性をより向上させることができる。
【００３６】
また、本実施形態では、突起部１５ｃを本体側枠体１１より摺動性の高い材料で構成した。ここで仮に、突起部を比較的摺動性の低い材料で構成したとすると、着脱の際に突起部がフィルタ側枠体に引っ掛かるなどして、突起部側で局所的に変形量が大きくなって応力集中が大きくなる虞がある。この点、本実施形態では、突起部１５ｃを比較的摺動性の高い材料で構成したため、このような応力集中を抑制して、係合構造の耐久性をより向上させることができる。
【００３７】
また、本実施形態では、突起部１５ｃを結晶性プラスチック樹脂材料で構成した。よって、突起部１５ｃの摺動性を高めて、上記応力集中の抑制を図ることができる。
【００３８】
また、本実施形態では、突起部１５ｃを本体側枠体１１と別部材（別部品）として構成したため、これらを一体化した場合に比べて、突起部１５ｃあるいはその周辺部に生じる応力をより一層低減することができる。
【００３９】
また、本実施形態では、突起部１５ｃと弾性変形部としての帯状部１５ａとを一体化させた。このため、これらを別部品として構成した場合に比べて部品点数を減らして組み付け作業性を向上することができる。
【００４０】
（第１参考例）図５は、本参考例にかかるヘアドライヤに装備されるフィルタユニット取付部としての本体側枠部の側面図、図６は図５のVI−VI断面図である。
【００４１】
本参考例では、上記第１実施形態の取付具１５に替えて、本体側枠体１１Ａに一体化させた取付部１５Ａを設けたものであり、この部分以外については上記第１実施形態と同様の構成としてある。この本体側枠体１１Ａは、上記第１実施形態に開示されている本体側枠体１１に替えて用いることができ、この本体側枠体１１Ａにフィルタ側枠体１２を装着することができる。
【００４２】
本参考例では、外筒部１１ａを略Ｕ字状にくり抜いて貫通孔１５ｄを形成し、その貫通孔１５ｄの内側で片持ち梁状に残った帯状部１５ａの先端側に、突起部１５ｃを設けたものである。かかる構成では、フィルタ側枠体１２を本体側枠体１１Ａに対して着脱する際には、帯状部１５ａが弾性変形して撓み、突起部１５ｃが外筒部１１ａの表面１１ｓに対して突没することになる。
【００４３】
さらに、本参考例では、二色成形により、突起部１５ｃの材料と本体側枠体１１Ａの一般部分の材料とを相異なるものとしている。すなわち、本参考例にあっては、少なくとも突起部１５ｃについては、本体側枠体１１Ａの一般部分よりも摺動性の高い材料とし、さらに上記第１実施形態で開示したのと同様の結晶性プラスチック材料としてある。二色成形の境界は適宜に定めることができ、例えば、突起部１５ｃの突出側先端部のみや、突起部１５ｃ、突起部１５ｃおよび帯状部１５ａ、突起部１５ｃから帯状部１５ａの根元部周辺までなどを、一般部分と相異なる材料とすることができる。
【００４４】
したがって、本参考例によっても、上記第１実施形態と同様の効果を得ることができる。また、本参考例では、突起部１５ｃおよび帯状部１５ａを本体側枠体１１Ａに一体化した分、これらが別体として構成された場合に比べて部品点数が減り、組み付け時の作業性を向上できるという利点がある。
【００４５】
さらに、本参考例では、図６に示すように、突起部１５ｃの、フィルタユニット（フィルタ側枠体１２）の装着方向（図６中の線Ｉに沿う方向）の手前側（図６では右側）および奥側（図６では左側）に、それぞれ傾斜面１５ｉ，１５ｐを形成し、二つの傾斜面１５ｉ，１５ｐのうち、フィルタユニットを装着する際にフィルタ側枠体１２の凹部１２ｃ（図２〜図４参照）に近接する側の傾斜面１５ｉを、その反対側の傾斜面１５ｐよりも、装着方向（線Ｉに沿う方向）に対してより緩やかに傾斜させた。具体的には、側面視で挿入方向手前側にある傾斜面１５ｉと線Ｉとのなす角度を４５°とし、その反対側の傾斜面１５ｐと線Ｉとのなす角度を６０°とした。かかる構成により、フィルタユニットを装着する際に要する力を比較的小さくし、フィルタユニットを取り外す際に要する力を比較的大きくして抜けにくくすることができる。なお、かかる構成は上記第１実施形態または他の参考例に対しても同様に適用できることは言うまでもない。また、設定角度は適宜に変更可能である。
【００４６】
（第１参考例の変形例）図７は、第１参考例の変形例にかかるヘアドライヤに装備されるフィルタユニット取付部としての本体側枠部の側面図、図８は図７のVIII−VIII断面図である。
【００４７】
この変形例では、本体側枠体１１Ｂの外筒部１１ａに、周方向に沿って相互に平行で同じ長さの二本の細長いスリット状の貫通孔１５ｄを並べて形成することで、それら貫通孔１５ｄ，１５ｄ間に、略矩形の両端支持梁状の帯状部１５ａを形成し、その帯状部１５ａの略中央部に、突起部１５ｃを設けて取付部１５Ｂを構成したものである。かかる構成でも、フィルタ側枠体１２を本体側枠体１１Ｂに対して着脱する際には、帯状部１５ａが弾性変形して撓み、突起部１５ｃが外筒部１１ａの表面１１ｓに対して突没することになる。
【００４８】
そして、上記第１参考例と同様に、二色成形を行い、少なくとも突起部１５ｃについては、本体側枠体１１Ｂの一般部分よりも摺動性の高い材料とし、さらに上記第１実施形態で開示したのと同様の結晶性プラスチック材料としてある。
【００４９】
したがって、かかる変形例によっても上記第１参考例と同様の効果を得ることができる。
【００５０】
（第２参考例）図９は、本参考例にかかるヘアドライヤの本体部の断面図、図１０は、図９の一部の拡大図である。
【００５１】
本参考例にかかるヘアドライヤ１Ｃは、基本的には上記第１実施形態にかかるヘアドライヤ１と同様の構成を備えている。ただし、突起と弾性変形部とを別部材として構成した点が、上記第１実施形態および上記参考例と相違している。
【００５２】
すなわち、本参考例では、図１０に示すように、本体部２Ｃに固定される本体側枠体１１Ｃにおいて、突起部１５ｃを含む可動部１５Ｃを、弾性体としてのコイルスプリング１６によって、当該突起部１５ｃを貫通孔１１ｅより外方に突出する方向に付勢するように取り付けてある。内筒部１１ｂにはコイルスプリング１６の台座１１ｈを設け、外筒部１１ａには、可動部１５Ｃのガイドリブ１１ｊを設けてある。
【００５３】
そして、本参考例では、可動部１５Ｃの材料を、本体側枠体１１Ｃの一般部分よりも摺動性の高い材料とし、さらに上記第１実施形態で開示したのと同様の結晶性プラスチック材料としてある。
【００５４】
したがって、かかる構成によっても、上記第１実施形態と同様の効果を得ることができる。
【００５５】
以上、本発明の好適な実施形態及び参考例について説明したが、本発明は上記実施形態および参考例には限定されず種々の変形が可能である。例えば、突起や弾性変形部をフィルタユニット側（フィルタ側枠体）に設けてもよい。
【図面の簡単な説明】
【００５６】
【図１】本発明の第１実施形態にかかるヘアドライヤの内部構成を示す側面図（一部断面図）である。
【図２】本発明の第１実施形態にかかるヘアドライヤの本体部にフィルタユニットを取り付ける部分の分解斜視図である。
【図３】本発明の第１実施形態にかかるヘアドライヤのフィルタユニットを取り付けた部分の空気通路の中心線に沿う断面での断面図である。
【図４】本発明の第１実施形態にかかるヘアドライヤのフィルタユニットを取り付けた部分の空気通路の中心線と垂直な断面での断面図である。
【図５】本発明の第１参考例にかかるヘアドライヤに装備されるフィルタユニット取付部としての本体側枠部の側面図である。
【図６】図５のVI−VI断面図である。
【図７】本発明の第１参考例の変形例にかかるヘアドライヤに装備されるフィルタユニット取付部としての本体側枠部の側面図である。
【図８】図７のVIII−VIII断面図である。
【図９】本発明の第２参考例にかかるヘアドライヤの本体部の断面図である。
【図１０】図９の一部の拡大図である。
【符号の説明】
【００５７】
１，１Ｃ  ヘアドライヤ
２，２Ｃ  本体部
４  空気通路
４ａ  吸込口
４ｂ  吹出口
１１，１１Ａ，１１Ｂ，１１Ｃ  本体側枠体（フィルタユニット取付部）
１１ｓ  表面
１２  フィルタ側枠体（本体取付部）
１２ｃ  凹部（受容部）
１４  フィルタ
１５ａ  帯状部（弾性変形部）
１５ｃ  突起部（突起）
１５ｉ  （フィルタユニットを装着する際に受容部に近接する側の）傾斜面
１５ｐ  （反対側の）傾斜面
Ｉ  装着方向
【図１】
0005258369.tif 000002
【図２】
0005258369.tif 000003
【図３】
0005258369.tif 000004
【図４】
0005258369.tif 000005
【図５】
0005258369.tif 000006
【図６】
0005258369.tif 000007
【図７】
0005258369.tif 000008
【図８】
0005258369.tif 000009
【図９】
0005258369.tif 000010
【図１０】
0005258369.tif 000011